【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
第１のパラメータ値が対応付けられた第１のカード画像と、前記第１のカード画像と同じ表示位置に前記第１のパラメータ値よりも大きい第２のパラメータ値が対応付けられた第２のカード画像とを表示する表示部と、
前記表示部に表示されている前記第１のカード画像に対応する第１のカードを前記第２のカードに変更させるための所定条件が満たされた場合に、前記第１のカードから前記第２のカード画像に対応する第２のカードに変更する変更要求の入力を受け付けるタッチパネルと、
前記変更要求の入力に応じて前記第1のカードを前記第２のカードに変更したことを記憶する記憶部と、
前記変更要求の入力があった場合で、かつ前記タッチパネルにおける所定の長さ以上にわたる第１のスライド入力があったと判定した場合、前記第１のカード画像を前記第２のカード画像に変更するアニメーション及び前記第２のカード画像の全部を前記表示部に表示させ、前記タッチパネルにおける所定の長さ未満の第２のスライド入力があった場合、前記アニメーション及び前記第２のカード画像の一部を前記表示部に表示させる制御部と、を有する通信端末。
【請求項２】
前記表示部は、前記第１のカードが変更可能であることを示すマークを表示することを特徴とする、請求項１に記載の通信端末。
【請求項３】
前記表示部は、前記所定条件が満たされた場合、カード変更受付部を表示し、
前記制御部は、前記カード変更受付部への入力があった場合で、かつ前記第１のスライド入力があった場合、前記アニメーション及び前記第２のカード画像の全部を前記表示部に表示するように制御することを特徴とする、請求項１又は２に記載の通信端末。
【請求項４】
前記第２のカードをさらに他のカードに変更可能であることを特徴とする、請求項１乃至３のいずれか一項に記載の通信端末。
【請求項５】
第１のパラメータ値が対応付けられた第１のカード画像と、前記第１のカード画像と同じ表示位置に前記第１のパラメータ値よりも大きい第２のパラメータ値が対応付けられた第２のカード画像とを表示する表示部を備える通信端末として機能するコンピュータに、
前記表示部に表示されている前記第１のカードを前記第２のカードに変更させるための所定条件が満たされた場合に、前記第１のカード画像に対応する第１のカードから前記第２のカード画像に対応する第２のカードに変更する変更要求の入力をタッチパネルが受け付ける入力ステップと、
前記変更要求の入力に応じて前記第1のカードを前記第２のカードに変更したことを記憶する記憶ステップと、
前記変更要求の入力があった場合で、かつ前記タッチパネルにおける所定の長さ以上にわたる第１のスライド入力があったと判定した場合、前記第１のカード画像を前記第２のカード画像に変更するアニメーション及び前記第２のカード画像の全部を前記表示部に表示させ、前記タッチパネルにおける所定の長さ未満の第２のスライド入力があった場合、前記アニメーション及び前記第２のカード画像の一部を前記表示部に表示させる制御ステップと、を実行させるプログラム。
【請求項６】
前記表示部に、前記第１のカードが変更可能であることを示すマークを表示することを特徴とする、請求項５に記載のプログラム。
【請求項７】
前記入力ステップにおいて前記所定条件が満たされた場合、カード変更受付部を表示し、
前記制御ステップは、前記カード変更受付部への入力があった場合で、かつ前記第１のスライド入力があった場合、前記アニメーション及び前記第２のカード画像の全部を表示するように制御することを特徴とする、請求項５又は６に記載のプログラム。
【請求項８】
前記第２のカードをさらに他のカードに変更可能であることを特徴とする、請求項５乃至７のいずれか一項に記載のプログラム。
【請求項９】
サーバと通信端末を備える通信システムにおける、第１のパラメータ値が対応付けられた第１のカード画像と、前記第１のカード画像と同じ表示位置に前記第１のパラメータ値よりも大きい第２のパラメータ値が対応付けられた第２のカード画像とを表示する表示部を有する通信端末の制御方法であって、
前記表示部に表示されている前記第１のカードを前記第２のカードに変更させるための所定条件が満たされた場合に、前記第１のカード画像に対応する第１のカードから前記第２のカード画像に対応する第２のカードに変更する変更要求の入力をタッチパネルが受け付ける入力ステップと、
前記変更要求の入力に応じて前記第1のカードを前記第２のカードに変更したことを記憶する記憶ステップと、
前記変更要求の入力があった場合で、かつ前記タッチパネルにおける所定の長さ以上にわたる第１のスライド入力があったと判定した場合、前記第１のカード画像を前記第２のカード画像に変更するアニメーション及び前記第２のカード画像の全部を前記表示部に表示させ、前記タッチパネルにおける所定の長さ未満の第２のスライド入力があった場合、前記アニメーション及び前記第２のカード画像の一部を前記表示部に表示させる制御ステップと、を含む通信端末の制御方法。
【請求項１０】
前記表示部に、前記第１のカードが変更可能であることを示すマークを表示することを特徴とする、請求項９に記載の通信端末の制御方法。
【請求項１１】
前記入力ステップにおいて前記所定条件が満たされた場合、カード変更受付部を表示し、
前記制御ステップは、前記カード変更受付部への入力があった場合で、かつ前記第１のスライド入力があった場合、前記アニメーション及び前記第２のカード画像の全部を表示するように制御することを特徴とする、請求項９又は１０に記載の通信端末の制御方法。
【請求項１２】
前記第２のカードをさらに他のカードに複数回変更可能であることを特徴とする、請求項９乃至１１のいずれか一項に記載の通信端末の制御方法。
【請求項１３】
サーバと通信端末を備える通信システムであって、
前記通信端末は第１のパラメータ値が対応付けられた第１のカード画像と、前記第１のカード画像と同じ表示位置に前記第１のパラメータ値よりも大きい第２のパラメータ値が対応付けられた第２のカード画像とを表示する表示部を有し、
前記サーバは、
前記第１のカード画像に対応する第１のカードを前記第２のカードに変更させるための所定条件が満たされたか否かを判定し、前記所定条件を満たす場合、前記第１のカードから前記第２のカード画像に対応する第２のカードに変更する変更要求の入力を受け付けるカード変更受付部を備えるカードリスト画面情報を前記通信端末に送信し、
前記通信端末は、
前記変更要求の入力をタッチパネルにより受け付け、かつ前記タッチパネルにおける所定の長さ以上にわたる第１のスライド入力があったと判定した場合、前記サーバに変更要求を送信し、
前記サーバは、前記変更要求を受信した場合、前記第１のカード画像を前記第２のカード画像に変更するアニメーションを含む表示情報を前記通信端末に送信し、
前記通信端末は、受信した前記表示情報に基づき前記アニメーション及び前記第２のカード画像の全部を表示し、前記タッチパネルにおける所定の長さ未満の第２のスライド入力があった場合、前記アニメーション及び前記第２のカード画像の一部を前記表示部に表示させることを特徴とする通信システム。
【手続補正２】
【補正対象書類名】明細書
【補正対象項目名】発明の名称
【補正方法】変更
【補正の内容】
【発明の名称】通信端末、プログラム、通信端末の制御方法、及び通信システム
【手続補正３】
【補正対象書類名】明細書
【補正対象項目名】０００５
【補正方法】変更
【補正の内容】
【０００５】
従って、上記のような問題点に鑑みてなされた本発明の目的は、対戦カードの取得方法のバリエーションを増やし、ゲームに対する興味を向上させることができる通信端末、プログラム、通信端末の制御方法、及び通信システムを提供することにある。
【手続補正４】
【補正対象書類名】明細書
【補正対象項目名】０００６
【補正方法】変更
【補正の内容】
【０００６】
上記課題を解決するために本発明に係る通信端末は、
第１のパラメータ値が対応付けられた第１のカード画像と、前記第１のカード画像と同じ表示位置に前記第１のパラメータ値よりも大きい第２のパラメータ値が対応付けられた第２のカード画像とを表示する表示部と、
前記表示部に表示されている前記第１のカード画像に対応する第１のカードを前記第２のカードに変更させるための所定条件が満たされた場合に、前記第１のカードから前記第２のカード画像に対応する第２のカードに変更する変更要求の入力を受け付けるタッチパネルと、
前記変更要求の入力に応じて前記第1のカードを前記第２のカードに変更したことを記憶する記憶部と、
前記変更要求の入力があった場合で、かつ前記タッチパネルにおける所定の長さ以上にわたる第１のスライド入力があったと判定した場合、前記第１のカード画像を前記第２のカード画像に変更するアニメーション及び前記第２のカード画像の全部を前記表示部に表示させ、前記タッチパネルにおける所定の長さ未満の第２のスライド入力があった場合、前記アニメーション及び前記第２のカード画像の一部を前記表示部に表示させる制御部と、を有することを特徴とする。
また、本発明に係るプログラムは、
第１のパラメータ値が対応付けられた第１のカード画像と、前記第１のカード画像と同じ表示位置に前記第１のパラメータ値よりも大きい第２のパラメータ値が対応付けられた第２のカード画像とを表示する表示部を備える通信端末として機能するコンピュータに、
前記表示部に表示されている前記第１のカードを前記第２のカードに変更させるための所定条件が満たされた場合に、前記第１のカード画像に対応する第１のカードから前記第２のカード画像に対応する第２のカードに変更する変更要求の入力をタッチパネルが受け付ける入力ステップと、
前記変更要求の入力に応じて前記第1のカードを前記第２のカードに変更したことを記憶する記憶ステップと、
前記変更要求の入力があった場合で、かつ前記タッチパネルにおける所定の長さ以上にわたる第１のスライド入力があったと判定した場合、前記第１のカード画像を前記第２のカード画像に変更するアニメーション及び前記第２のカード画像の全部を前記表示部に表示させ、前記タッチパネルにおける所定の長さ未満の第２のスライド入力があった場合、前記アニメーション及び前記第２のカード画像の一部を前記表示部に表示させる制御ステップと、を実行させることを特徴とする。
また、本発明に係る通信端末の制御方法は、
サーバと通信端末を備える通信システムにおける、第１のパラメータ値が対応付けられた第１のカード画像と、前記第１のカード画像と同じ表示位置に前記第１のパラメータ値よりも大きい第２のパラメータ値が対応付けられた第２のカード画像とを表示する表示部を有する通信端末の制御方法であって、
前記表示部に表示されている前記第１のカードを前記第２のカードに変更させるための所定条件が満たされた場合に、前記第１のカード画像に対応する第１のカードから前記第２のカード画像に対応する第２のカードに変更する変更要求の入力をタッチパネルが受け付ける入力ステップと、
前記変更要求の入力に応じて前記第1のカードを前記第２のカードに変更したことを記憶する記憶ステップと、
前記変更要求の入力があった場合で、かつ前記タッチパネルにおける所定の長さ以上にわたる第１のスライド入力があったと判定した場合、前記第１のカード画像を前記第２のカード画像に変更するアニメーション及び前記第２のカード画像の全部を前記表示部に表示させ、前記タッチパネルにおける所定の長さ未満の第２のスライド入力があった場合、前記アニメーション及び前記第２のカード画像の一部を前記表示部に表示させる制御ステップと、を含むことを特徴とする。
また、本発明に係る通信システムは、
サーバと通信端末を備える通信システムであって、
前記通信端末は第１のパラメータ値が対応付けられた第１のカード画像と、前記第１のカード画像と同じ表示位置に前記第１のパラメータ値よりも大きい第２のパラメータ値が対応付けられた第２のカード画像とを表示する表示部を有し、
前記サーバは、
前記第１のカード画像に対応する第１のカードを前記第２のカードに変更させるための所定条件が満たされたか否かを判定し、前記所定条件を満たす場合、前記第１のカードから前記第２のカード画像に対応する第２のカードに変更する変更要求の入力を受け付けるカード変更受付部を備えるカードリスト画面情報を前記通信端末に送信し、
前記通信端末は、
前記変更要求の入力をタッチパネルにより受け付け、かつ前記タッチパネルにおける所定の長さ以上にわたる第１のスライド入力があったと判定した場合、前記サーバに変更要求を送信し、
前記サーバは、前記変更要求を受信した場合、前記第１のカード画像を前記第２のカード画像に変更するアニメーションを含む表示情報を前記通信端末に送信し、
前記通信端末は、受信した前記表示情報に基づき前記アニメーション及び前記第２のカード画像の全部を表示し、前記タッチパネルにおける所定の長さ未満の第２のスライド入力があった場合、前記アニメーション及び前記第２のカード画像の一部を前記表示部に表示させることを特徴とする。
【手続補正５】
【補正対象書類名】明細書
【補正対象項目名】０００７
【補正方法】変更
【補正の内容】
【０００７】
本発明における通信端末、プログラム、通信端末の制御方法、及び通信システムによれば、対戦カードの取得方法のバリエーションを増やし、ゲームに対する興味を向上させることができる。